(57)【要約】      （修正有）【課題】アパートやマンションや一戸建住宅等のベランダや窓における物干し作業が、ベランダの中で場所を取る事も無く、布団や衣類を汚す心配も無く、ベランダや窓の採光や視界が奪われる心配も無く、これまでより快適に行う事ができるようにする。【解決手段】中空状支柱支え１の中に回転式支柱２を設け、固定用金具３により中空状支柱支え１をベランダの柵や壁の外側に固定し、回転式支柱２を水平に持ち上げて中空状支柱支え１により固定し、回転式支柱２にあけられたポール挿入穴５の中に、物干し用ポール７を入れて固定する。【選択図】図２
2005192678.tif 000002
【特許請求の範囲】
【請求項１】
（１）  中空状支柱支え１の中に、回転式支柱２を設ける。
（２）  固定用金具３により、中空状支柱支え１をベランダの柵や壁の外側に固定する。
（３）  回転式支柱２を水平に持ち上げて中空状支柱支え１により固定し、回転式支柱２にあけられたポール挿入穴５の中に、物干し用ポール７を入れて固定する。
以上の如く構成された回転式ベランダポール。
【請求項２】
ベランダの柵６と中空状支柱支え１及び回転式支柱２を一体化させた、請求項１の回転式ベランダポール。
【請求項３】
中空状支柱支え１の外側の形状を、四角形又は多角形にした、請求項１の回転式ベランダポール。
【請求項４】
ポール固定用ダイアル９やポール固定用キャップ１０やポール固定用キャップ（ゴム製）１１やポール固定用膜１２やポール固定用の鎖やロープやピン等、物干し用ポール７の抜け落ち防止機構を設けた、請求項１の回転式ベランダポール。
【請求項５】
中空状支柱支え１に、回転式支柱２を使用する際の角度調節装置８を設けた、請求項１の回転式ベランダポール。
【請求項６】
回転式支柱２の上部において、物干し用ポール７の設置を行う、請求項１の回転式ベランダポール。
【請求項７】
中空状支柱支え１の代わりに支柱支え１４を設け、回転式支柱２を横方向（水平方向）に回転させて使用する、請求項１の回転式ベランダポール。
【請求項８】
中空状支柱支え１の代わりに押し出し式支柱支え１５を設けた、請求項１の回転式ベランダポール。
【請求項９】
中空状支柱支え１の代わりに回転式支柱支え１７を設けた、請求項１の回転式ベランダポール。
【発明の詳細な説明】
【発明の詳細な説明】
【産業上の利用分野】
【０００１】  本発明は、アパートやマンションや一戸建住宅等のベランダや窓の外において、布団や毛布や衣類等を天日で干す物干し用の装置に関するものである。
【背景技術】
【０００２】  アパートやマンションや一戸建住宅等のベランダや窓における物干し用の装置には、物干し台や伸縮式のポールや各種のハンガーやロープ等が存在し、それらはそれなりに便利であった。
物干し台に乗せたポールやロープに布団や毛布を干したり、各種のハンガーやロープに衣類をかけて干したりしていたのである。
【発明が解決しようとする課題】
【０００３】  従来のベランダ用の物干し装置には、以下のような問題点があった。
▲１▼狭いベランダの内部に設置されるため、場所を取りすぎてしまう。幅の狭いベランダだと、物干し台を置いて布団を干すだけで一杯になってしまい、ガーデニングもできないしペットや子供の遊び場としても使えなくなってしまっていた。
▲２▼布団や毛布等の大物をマンション等のベランダで干す場合、物干し台とポールを使えば干せるが、物干し台がベランダの内部に置いてあるものだから日当たりが悪くなり効果が薄くなる。そこでやむなく、ベランダの柵やコンクリート壁に置いて垂れ下がらして干す人が多かった。
この方法だと日光による乾燥殺菌効果は得られるものの、ベランダの柵や壁に布団等が当たってしまい、汚れ易く不潔である。
また、マンションやアパートの住人でガーデニングや盆栽を趣味として楽しんでいる人々は、布団や毛布を干す度にたくさんの植木鉢をベランダの内側に移動させねばならないという不便な生活を強いられていた。
▲３▼前記のように、ベランダの柵や壁に布団や毛布等を垂れ下げて干していると、ベランダの手すりが使えなくなってしまう。
同じようにアパート等の窓の外側にロープを張って布団や衣類等を干していると、部屋は暗くなるし窓の外の景色は見えなくなるし、極めて不便であった。（ベランダがない場合）
▲４▼高級マンションやアパートのベランダの手すりや壁から、晴れた日にたくさんの布団や毛布がだらりだらりと干されている日本における日常的な光景は、だらしがなく醜悪であり改善の余地がある。
【課題を解決するための手段】
【０００４】  本発明は、前記の問題点を解決するために考案されたもので、図２のように回転式の物干し装置をベランダの柵や壁の外側に設ける事を特徴とする。
その構成は、
（１）中空状支柱支え１の中に、回転式支柱２を設ける。
（２）固定用金具３により、中空状支柱支え１をベランダの柵や壁の外側に固定する。
（３）回転式支柱２を水平に持ち上げて中空状支柱支え１により固定し、回転式支柱２にあけられたポール挿入穴５の中に、物干し用ポール７を入れて固定する。
以上の如く構成された回転式ベランダポール。
【作用】
【０００５】  以上のように構成した事によって、ベランダの中で場所をとる事も無く布団や衣類を干す事ができるし、ベランダの柵や壁で布団や毛布等が汚れる心配も少なくなるし、ベランダの手すりは物干し用ポールにたくさんの布団や衣類を干しても自由に使う事が可能となる。
また、窓の両脇の横または下方の壁に本発明を取り付ければ、布団や衣類を干しても窓の採光や視界が遮られる事は無くなる。
【実施例】
【０００６】  図１及び図２参照。本発明は、アパートやマンションや一戸建住宅等のベランダの柵や壁に、固定用金具３を用いて取り付ける。取り付け方法は一般的なねじ止め式であり、コンクリートやモルタルの壁には電気ドリル等を用いて穴をあけ、ねじで取り付ける。他の既存の取り付け方法を用いても構わない。
物干し用ポール７は使用しない時は取り外して縮めて、ベランダの片隅か室内に保管しておけば良い。物干し用ポール７の長さは、２個取り付けられた回転式支柱２の間隔より少し長い程度。１本のポールに布団を２枚干すのであれば、約２．８ｍ必要となるが、これはベランダや窓における本発明の設置幅により、何種類か用意すれば良い。伸縮式の物が望ましい。【０００７】  図１のように、本発明を使用しない時は、回転式支柱２は下方に回転させてベランダの柵や壁と平行に収納しておく。使用する時は、回転式支柱２を上方に持ち上げて水平にし、中空状支柱支え１の中を少し横に移動させて水平位置で固定して、留め金具４を下に降ろして留める事によって、回転式支柱２が強風等により下方にずり落ちるのを防止するのである。
この作業を２回行い、両端の２個の回転式支柱２をほぼ水平位置で固定する。
次に物干し用ポール７を取りだし、使用したい長さに伸ばしてポール挿入穴５に入れ固定する。そうすると図２のようになり、あとは物干し用ポール７に布団や衣類等を干すだけである。布団や衣類が風等で落ちないようにするクリップやハンガー類は市販されている物を使用すれば良い。布団や毛布をたくさん干したければ、物干し用ポール７をもう１本使用すれば良い。
また、本発明はベランダや窓の外側に取り付ける物であるので、装置の材質はステンレスやアルミニウムや合成樹脂や木材等のように、ある程度の強度があり軽量で錆び難く対候性の高い物で造る必要がある。ポール挿入穴５は回転式支柱２に複数個開けても構わないが、通常は２〜３個が望ましい。
回転式支柱２の長さは、開けられたポール挿入穴５の数や干す布団や衣類の量によって異なってくるが、通常は約４０ｃｍ〜約１ｍが適当であり、何種類か製作すれば良い。（ベランダの柵や手すりの壁の高さより小さくしなければならない。）【０００８】  布団や衣類等を干し終わって室内に取り込んでしまったら、物干し用ポール７をポール挿入穴５から抜いてはずして、縮めて、任意の場所に保管しておく。そして留め金具４を上にはずして、水平になっている回転式支柱２を少し横にずらして下方に回転させて降ろし、図１のようにベランダの柵６と平行に収納する。こうすると、本発明はベランダの柵６と一体化して目立たなくなってしまい、全く邪魔にならなくなる。【０００９】  請求項２の説明を記す。本発明は、基本的には固定用金具３を用いてネジで取り付ける。しかし、既存の他の取り付け方法を用いても構わない。
図３がその例であり、ベランダの柵６と中空状支柱支え１を部品として一体化させてしまう訳である。こうすると、中空状支柱支え１の強度が増大し、金具のネジが緩んで脱落する恐れがなくなる。また、ベランダの柵と一体化してしまうので、見栄えも良くなる。また、この方が工場での生産効率が上がる事は確実である。
図８及び図９及び図１０の各物干し用装置においても、支柱支えや回転式支柱２をベランダの柵６と一体化させて構わない。【００１０】  請求項３の説明を記す。図３参照。この装置では中空状支柱支え１の外側の形を円形から四角形に変えている。こうすると強度が増大する効果が期待できる。また、ベランダの柵６と中空状支柱支え１を部品として一体化させてしまう場合は、工場で製造し易いという長所がある。
また、デザイン面から考慮すると円形だけでなく、四角形・多角形等と色々と造った方が美観が多彩となり、利用者に喜ばれる。【００１１】  請求項４の説明を記す。図４及び図５及び図６は、物干し用ポール７の脱落防止装置の説明のために記したものである。
▲１▼図４及び図５参照。強風等による物干し用ポール７の抜け落ちを防止するために、回転式支柱２のポール挿入穴５の外側に、ポール固定用ダイアル９を設ける。物干し用ポール７をポール挿入穴５に入れた後、ポール固定用ダイアル９のダイアルを回すと、物干し用ポール７が締め付けられ（または圧力を受けて）容易に抜け落ちる事が無くなる。
▲２▼図４及び図５参照。物干し用ポール７の両端にネジ山を設け、ポール固定用キャップ１０を回してはめて蓋をしてしまう方法。物干し用ポール７をポール挿入穴５に入れた後、ポール固定用キャップ１０で物干し用ポール７の両端にふたをする。こうすると、物干し用ポール７が回転式支柱２から脱落する恐れはほとんど無くなる。【００１２】▲３▼図６参照。物干し用ポール７の両端にポール固定用キャップ（ゴム製）１１をはめて蓋をしてしまう方法。物干し用ポール７をポール挿入穴５に入れた後、ポール固定用キャップ（ゴム製）１１で物干し用ポール７の両端にふたをする。こうすると、前記のポール固定用キャップ１０と同様、物干し用ポール７が回転式支柱２から脱落する事はほとんど無くなる。この場合、物干し用ポール７の両端はゴムのふたが入り易く抜け落ち難いように、傾斜を付けておく必要がある。
▲４▼図６参照。ポール挿入穴５の内側に、ゴム製や合成樹脂製等のポール固定用膜１２を設ける。物干し用ポール７をポール挿入穴５に入れると、ポール固定用膜１２によって摩擦や圧力を受け、抜け落ち難くなる。
前記、４つの脱落防止装置の内、通常は１つ又は２つを本発明に取り付ければ、十分な効果は得られる。全部を取り付ける必要は無い。
また、前記以外にも、鎖やロープやマジックテープ等を使用して、物干し用ポール７を回転式支柱２に固定したり、物干し用ポール７の両端に小さな穴を開けてそこに上からピンを差し込んで固定する等の、既存の方法もあるので、どれか１つを選択して装着しても良い。【００１３】  請求項５の説明を記す。図３を参照。回転式支柱２を使用する時は、基本的には水平の角度で使用するが、多少、水平より角度を下げて使用しても良い。その場合、角度調節装置８を中空状支柱支え１に設ける。
中空状支柱支え１が回転式支柱２を支える部分の高さや角度を変える事によって、回転式支柱２の角度を調整するのである。図３の場合は、回転式支柱２を持ち上げて左に少しずらして留め金具４で固定すれば、ほぼ水平の角度で使用可能となり、右に少しずらして留め金具４で固定すれば、水平より約２０度下方に傾いて使用可能になる。
回転式支柱２を水平より下げて使用すると、物干し用ポール７を回転式支柱２に２本以上入れて使用した場合、水平で使用した時と比較して、内側のポールに干した布団等の日当たりや通風が、少し良くなるという効果がある。
図８及び図９及び図１０の各物干し用装置においても、同様に角度調節装置を取り付ける事が可能である。【００１４】  請求項６の説明を記す。図７を参照。回転式支柱２に開けられたポール挿入穴５の代わりに、回転式支柱２の上部にポールを支え固定するポール固定装置１３を設ける。材質は、固定用の金具か、折れ難い合成樹脂製の物が望ましい。
物干し用ポール７を回転式支柱２の上部のポール固定装置１３に、上から置いて少し押さえるだけで使用可能となる。ポール固定装置１３がバネのような作用でポールを少し圧縮するので、物干し用ポール７は簡単には脱落しない。
物干し用ポール７の脱落防止装置として、鎖やゴム製のベルトやマジックテープ等を用いても良い。これらを用いて物干し用ポール７を回転式支柱２に固定すれば、強風等でもポールが脱落する恐れはほとんどなくなる。【００１５】  請求項７の説明を記す。図８を参照。中空状支柱支え１を無くし、その代わりに支柱支え１４を設け、回転式支柱２を上下方向ではなく横方向（水平方向）に回転させる事で、動作させる。
ベランダの柵６と平行に収納していた回転式支柱２を、横方向に約９０度回転させ支柱支え１４に乗せて、留め金具４により脱落しないように固定する。この固定方法は、ゴムベルトや鎖やレバー等、既存の他の方法でも良い。
他の使用方法は、図１や図３の物干し装置とほとんど同じである。
機能的には、請求項１の物干し装置とほとんど同じであるが、回転式支柱２を横方向に動かして使用するので、操作が少し楽という長所がある。特に子供や背の小さい人にとっては、使用し易いと思われる。【００１６】  請求項８の説明を記す。図９を参照。中空状支柱支え１を無くし、その代わりに押し出し式支柱支え１５を設けた装置である。
回転式支柱２を上に回転させて水平付近まで持ち上げ、押し出し式支柱支え１５を前方に押し出して、その上に回転式支柱２を乗せ、留め金具４とフック１６により脱落しないように固定する。この固定方法は、ゴムベルトや鎖やレバー等、既存の他の方法でも良い。
他の使用方法は、図１や図３の物干し装置とほとんど同じである。
機能的には、請求項１の物干し装置とほとんど同じであるが、構成が簡素であるので工場で生産する場合、請求項１の物干し装置と比較して、やや生産コストが安価にできると思われる。【００１７】  請求項９の説明を記す。図１０を参照。中空状支柱支え１を無くし、その代わりに回転式支柱支え１７を設けた装置である。
回転式支柱２を上に回転させて水平付近まで持ち上げ、回転式支柱支え１７を約９０度水平方向に回転させて、その上に回転式支柱２を乗せ、留め金具４とフック１６により脱落しないように固定する。この固定方法は、ゴムベルトや鎖やレバー等、既存の他の方法でも良い。
他の使用方法は、図１や図３の物干し装置とほとんど同じである。
機能的には、請求項１の物干し装置とほとんど同じである。こちらの方が部品数が多く生産コストは高くなるかもしれないが、操作がおもしろいという魅力を有している。
【発明の効果】
【００１８】（１）布団や毛布を一度に何枚も干せる物干し装置でありながら、ベランダの中で全く場所を取る事がない。住民達はベランダが有効に使用できる。
（２）ベランダの柵や壁等に、干した布団や衣類が当たって汚れる心配が少なくなる。また、布団や毛布等を干す度に、いちいちベランダの柵や物干し用のポールを、雑巾等で掃除する必要もなくなる。
（３）ベランダの手すりが布団等を干していても自由に使用でき、ベランダからの採光や視界も奪われる事が無いので、マンションやアパート等の住民達は、これまでより快適な日常生活を送る事ができる。
（４）本発明を窓の外に装着すれば、布団や毛布等を干す事で窓の視界や採光が奪われる事がなくなるので、アパート等の住民達は、布団や衣類等を干していても明るく快適な日常生活が送れる。
（５）マンションやアパート等のベランダの手すりや窓から、布団や毛布等が垂れ下がっている、だらしのない日本の住宅の日常風景に、一定の整然とした機械的秩序を与え、これまでよりも美しい景観を与える事ができる。
【図面の簡単な説明】
【００１９】
【図１】本発明の斜視図である。（片方だけ）
【図２】ベランダにおける本発明の使用時の斜視図である。
【図３】ベランダの柵と中空状支柱支えを一体化させた、本発明の斜視図である。（片方だけ）回転式支柱の角度調節装置を装備している。
【図４】物干し用ポールの抜け落ち防止機構を説明する平面図である。
【図５】図４と同様。ポール固定用ダイアルとポール固定用キャップの構造を示す平面図である。
【図６】図４と同様。ポール固定用キャップ（ゴム製）とポール固定用膜の構造を示す平面図である。
【図７】回転式支柱の上部に物干し用ポールを設置する構造を示す側面図である。
【図８】中空状支柱支えの代わりに支柱支えを設けた、本発明の斜視図である。（片方だけ）
【図９】中空状支柱支えの代わりに押し出し式支柱支えを設けた、本発明の斜視図である。（片方だけ）
【図１０】中空状支柱支えの代わりに回転式支柱支えを設けた、本発明の斜視図である。（片方だけ）
【符号の説明】
１    中空状支柱支え
２    回転式支柱
３    固定用金具
４    留め金具
５    ポール挿入穴
６    ベランダの柵
７    物干し用ポール
８    角度調節装置
９    ポール固定用ダイアル
１０  ポール固定用キャップ
１１  ポール固定用キャップ（ゴム製）
１２  ポール固定用膜
１３  ポール固定装置
１４  支柱支え
１５  押し出し式支柱支え
１６  フック
１７  回転式支柱支え
【図１】
2005192678.tif 000003
【図２】
2005192678.tif 000004
【図３】
2005192678.tif 000005
【図４】
2005192678.tif 000006
【図５】
2005192678.tif 000007
【図６】
2005192678.tif 000008
【図７】
2005192678.tif 000009
【図８】
2005192678.tif 000010
【図９】
2005192678.tif 000011
【図１０】
2005192678.tif 000012